(57)【特許請求の範囲】
【請求項１】
床面と隣接し側方に向けて開口する開口部の少なくとも下部を屋外側から覆う遮水板と、
前記遮水板が前記開口部を屋外側から覆った状態で、前記遮水板を少なくとも床面に向けて押し付ける押付部材と、
前記遮水板に設けられ少なくとも前記床面との間をシールする弾性変形可能なシール部材と、
を備え、
前記押付部材は、前記開口部の左右両側の縁部の少なくとも一方を左右両側から挟持して固定される、開口部の防水装置。
【請求項２】
前記押付部材は、前記開口部の左右両側の縁部のそれぞれを左右両側から挟持して固定される、請求項１に記載の開口部の防水装置。
【請求項３】
前記押付部材は、前記遮水板に設けられた、請求項１または２に記載の開口部の防水装置。
【請求項４】
前記押付部材は、前記開口部の縁部の左右両側に設けられる一対の側壁部と、前記開口部の縁部の屋外側に設けられ前記一対の側壁部同士を連結する前壁部と、から平面視Ｕ字状に構成され、回転操作によって前記開口部の縁部を左右両側から挟持する固定部材が、前記側壁部に設けられた、請求項１または２に記載の開口部の防水装置。
【発明の詳細な説明】
【技術分野】
【０００１】
本発明は、開口部の防水装置に関する。
【背景技術】
【０００２】
従来、開口部を屋外側から覆う防水シートを有した開口部の防水装置が知られている（例えば、特許文献１）。
【先行技術文献】
【特許文献】
【０００３】
【特許文献１】特許第４４５９７４０号公報
【発明の概要】
【発明が解決しようとする課題】
【０００４】
例えば、より容易に取り付けたり取り外したりできるなど、より不都合が少なく改善された新規な構成の防水装置が得られれば有意義である。本発明の課題の一つは、例えば、より不都合が少なく改善された新規な構成の開口部の防水装置を得ることである。
【課題を解決するための手段】
【０００５】
本発明の開口部の防水装置は、例えば、床面と隣接し側方に向けて開口する開口部の少なくとも下部を屋外側から覆う遮水板と、前記遮水板が前記開口部を屋外側から覆った状態で、前記遮水板を少なくとも床面に向けて押し付ける押付部材と、前記遮水板に設けられ少なくとも前記床面との間をシールする弾性変形可能なシール部材と、を備え、前記押付部材は、前記開口部の左右両側の縁部の少なくとも一方を左右両側から挟持して固定される。よって、例えば、比較的簡素な構成によって、遮水板を開口部を覆う位置に留めることができる。また、例えば、押付部材を、開口部の縁部を利用した比較的簡素な構成として得ることができる。
【０００６】
上記開口部の防水装置では、例えば、前記押付部材は、前記開口部の左右両側の縁部のそれぞれを左右両側から挟持して固定される。よって、例えば、押付部材を、開口部の縁部を利用した比較的簡素な構成として得ることができる。
【０００８】
上記開口部の防水装置では、例えば、上記押付部材は、上記遮水板に設けられる。よって、例えば、非使用時に押付部材をより容易に保管できる。
上記開口部の防水装置では、例えば、前記押付部材は、前記開口部の縁部の左側および右側に設けられる一対の側壁部と、前記開口部の縁部の屋外側に設けられ前記一対の側壁部同士を連結する前壁部と、から平面視Ｕ字状に構成され、回転操作によって前記開口部の縁部を左右両側から挟持する固定部材が、前記側壁部に設けられる。
【発明の効果】
【０００９】
本発明によれば、例えば、より容易に取り付けたり取り外したりできるなど、より不都合が少なく改善された新規な構成の開口部の防水装置が得られる。
【図面の簡単な説明】
【００１０】
【図１】図１は、第１実施形態の開口部の防水装置の模式的かつ例示的な平面図である。
【図２】図２は、第１実施形態の開口部の防水装置の屋外側かつ上側から見た例示的な斜視図である。
【図３】図３は、第１実施形態の開口部の防水装置の押付部材の例示的な斜視図である。
【図４】図４は、第１実施形態の開口部の防水装置の例示的な側面図である。
【図５】図５は、第２実施形態の開口部の防水装置の屋外側かつ上側から見た例示的な斜視図である。
【図６】図６は、第２実施形態の開口部の防水装置の屋外側から見た例示的な正面図である。
【図７】図７は、第３実施形態の開口部の防水装置の屋外側かつ上側から見た例示的な斜視図である。
【図８】図８は、第３実施形態の開口部の防水装置の一部の例示的な側面図である。
【図９】図９は、第３実施形態の第１変形例の開口部の防水装置の一部の例示的な側面図である。
【図１０】図１０は、第３実施形態の第２変形例の開口部の防水装置の屋外側かつ上側から見た例示的な斜視図である。
【発明を実施するための形態】
【００１１】
以下、本発明の例示的な実施形態が開示される。以下に示される実施形態の構成、ならびに当該構成によってもたらされる作用および結果（効果）は、一例である。本発明は、以下の実施形態に開示される構成以外によっても実現可能である。また、本発明によれば、構成によって得られる種々の効果（派生的な効果も含む）のうち少なくとも一つが得られうる。
【００１２】
また、以下に開示される実施形態および変形例には、同様の構成要素が含まれる。以下では、同様の構成要素には共通の符号が付与されるとともに、重複する説明が省略される。また、便宜上、開口部の開口方向の屋外側がＸ方向、Ｘ方向の視線での左側がＹ方向、および上方がＺ方向と、定義される。
【００１３】
＜第１実施形態＞
図１，２に示されるように、防水装置１Ａは、建物等の構造物の壁１０（側壁）に設けられた開口部１１に対応して、設けられる。開口部１１は、床面１２の上側に隣接し、側方（Ｘ方向）に向けて開口している。開口部１１は、上下方向に長い長方形状（四角形状）に形成される。構造物の開口部１１の縁は、床面１２と、左右両側で上下方向に延びる方立１３，１３（柱）と、上方で左右方向（側方）に延びる梁（図示されず）とによって構成される。方立１３は、角柱状に構成される。なお、開口部１１の屋内側には、開口部１１を開閉可能に覆う扉１５，１５が設けられている。扉１５は、スライドドア（所謂自動ドア）である。扉１５は、壁１０および床面１２に沿って、図１の左右方向（Ｙ方向およびその反対方向）に、開位置（図示されず）と閉位置（図１）との間で移動する。なお、屋外側および屋内側とは、説明上わかりやすくするための便宜上の表現であって、水が浸入する可能性がある場合の上流側および下流側を意味する。本発明は、例えば廊下等の通路のような家屋や部屋等の概念が必ずしも明確にならない場所に設置された扉に対しても適用できる。
【００１４】
防水装置１Ａは、遮水板２を有する。遮水板２は、長方形（四角形）の板状に構成される。遮水板２は、開口部１１の少なくとも下部を覆う。具体的に、遮水板２は、その厚さ方向が床面１２（Ｘ方向）と略平行な姿勢で、床面１２上に接して起立するとともに、方立１３に屋外側から接する。このように遮水板２が開口部１１の下部を覆った状態で、遮水板２の端部２ａ（下端部）と床面１２との間、および遮水板２の左右両側の端部２ｂ（側端部）と方立１３（の外面）との間がシールされることにより、開口部１１を介した屋内への雨水等の水の浸入が、抑制される。また、遮水板２は、ケース（例えば金属材料等）と、当該ケースの内部に収容された比較的軽量な材料（例えば発泡材料等）とを有し、全体として比較的軽量となるよう構成されている。遮水板２の全体の比重は、例えば、水の比重よりも小さく設定されうる。これにより、操作者は、遮水板２の運搬や、取り付け、取り外し等を、より容易に行える。なお、床面１２とは、説明上わかりやすくするための便宜上の表現であって、通常の床面のみならず、コンクリート面や地面等の開口部１１の下方に位置する面をも意味する。
【００１５】
図４に示されるように、端部２ａと床面１２との間、および端部２ｂと方立１３との間には、それぞれ、シール部材３が設けられている。シール部材３は、例えば、エラストマ等の弾性材料で構成される。シール部材３は、遮水板２と構造物（床面１２あるいは方立１３）との間に挟まれることで、弾性的に圧縮され、面圧を生じる。この面圧によって、水の浸入がより一層確実に抑制されうる。なお、本実施形態では、シール部材３は、遮水板２に設けられるが、シール部材３の少なくとも一部は、構造物側に設けられてもよい。また、水の浸入が抑制されるとは、水の浸入が阻止されたり防止されたりする意味をも含む。
【００１６】
また、左右の方立１３には、それぞれ、図２〜４に示される押付部材４Ａが設けられる。押付部材４Ａは、それぞれ、遮水板２の例えば端部２ｃ（上端部）を、床面１２（下方）に向けて押し付ける。遮水板２は、押付部材４Ａと床面１２との間に挟まれることで、開口部１１を屋外側から覆った位置に固定される。
【００１７】
図３，４に示されるように、押付部材４Ａは、方立１３に着脱可能に取り付けられるブラケットとして構成されている。押付部材４Ａは、例えば、板状の金属材料を折り曲げることで構成されうる。押付部材４Ａは、壁部４ａ（前壁部、基部）や、壁部４ｂ（側壁部、フランジ部）、壁部４ｃ（下壁部、フランジ部）、等の部分を有する。壁部４ａは、方立１３の屋外側の面１３ａ（前面）の屋外側に対向する。壁部４ａは、面１３ａと接触しうる。壁部４ａは、長方形状（四角形状）の板状に構成されている。また、二つの壁部４ｂが、壁部４ａの左右それぞれの端部から屋内側（Ｘ方向の反対方向）に向けて突出し、方立１３の左右両側のいずれかの面１３ｂと対向する。壁部４ｂは、長方形状（四角形状）の板状に構成されている。壁部４ａと二つの壁部４ｂとで構成される上方からの視線で略Ｕ字状の部分が、方立１３を屋外側から囲っている。壁部４ｂのうち一方（図３の例では左側の壁部４ｂ）は、左右両側のいずれかの面１３ｂから離間し、もう一方（図３の例では右側の壁部４ｂ）は、面１３ｂと接触しうる。面１３ｂから離間して設けられる壁部４ｂには、雌ねじ穴４ｄが設けられ、この雌ねじ穴４ｄに、固定部材５の雄ねじ部５ｂが通されている。また、壁部４ａの下方側の端部からは屋外側（Ｘ方向）に向けて壁部４ｃが突出している。壁部４ｃは、開口部１１を覆う位置にある遮水板２の端部２ｃ（面、端面）と対向する。壁部４ｃは、端部２ｃと離間している。壁部４ｃは、長方形状（四角形状）の板状に構成されている。壁部４ａと壁部４ｃとは、側面視でＬ字状に接続されている。
【００１８】
押付部材４Ａは、固定部材５を有している。押付部材４Ａは、方立１３の面１３ｂから離間した壁部４ｂに取り付けられた固定部材５Ａ（５）によって方立１３に固定されるとともに、壁部４ｃに取り付けられた固定部材５Ｂ（５）を介して遮水板２を下方に押し付けている。固定部材５Ａおよび固定部材５Ｂは同一の構造を有している。固定部材５は、ヘッド部５ａ（ハンドル部）や、ねじ部５ｂ、座部５ｃ等の部分を有する。ねじ部５ｂ（雄ねじ部）は、壁部４ｂ，４ｃに設けられた雌ねじ穴４ｄに挿入される。ねじ部５ｂの一方側、すなわち面１３ｂまたは端部２ｃの反対側には、ヘッド部５ａが固定されている。また、ねじ部５ｂの他方側、すなわちヘッド部５ａとは反対側（端部側）には、座部５ｃが配置されている。なお、図３では、固定部材５Ｂの座部５ｃのみが示されているが、固定部材５Ａにも同様の座部が設けられている。操作者は、手指や工具等を用いてヘッド部５ａを回すことで、固定部材５をねじ込む。固定部材５Ａのねじ部５ｂの回転に伴って、固定部材５Ａが接触する面１３ｂと壁部４ｂとの間隔が広がり、固定部材５Ａの座部５ｃ（図示されず、またはねじ部５ｂの端部）と、他方側の壁部４ｂ（図３では右上側の壁部４ｂ）との間に、方立１３が挟まれた状態が得られる。このようにして、固定部材５Ａにより、押付部材４Ａが方立１３に取り付けられる。また、固定部材５Ｂのねじ部５ｂの回転に伴って、固定部材５Ｂが接触する端部２ｃと壁部４ｃとの間隔が広がる。すなわち、遮水板２の端部２ｃは、方立１３に取り付けられた押付部材４Ａから、固定部材５Ｂを介して下方（床面１２に向けて）押し付けられる。操作者は、固定部材５Ａを緩めることで、押付部材４Ａを方立１３から取り外すことができる。また、操作者は、固定部材５Ｂの締付トルクの調節（設定）によって、遮水板２を下方へ押す力の大きさ、ひいては、シール部材３の床面１２との間に介在する部分３ａに作用する面圧の大きさを、調節（設定）できる。また、操作者は、固定部材５Ｂを緩めることで、遮水板２を開口部１１を覆う位置から取り外す（移動させる）ことができる。なお、ねじ部５ｂ（雌ねじ穴４ｄ）は、セルフロック機能を有してもよい。
【００１９】
図４に示されるように、遮水板２は、押付部材４Ａ（固定部材５Ｂ）と床面１２との間に上下方向（Ｚ方向）に挟まれるとともに、押付部材４Ａ（固定部材５Ｂ）と方立１３との間に開口部１１の開口方向（Ｘ方向）に挟まれる。したがって、図４に示されるように、遮水板２の端部２ａと床面１２との間には、シール部材３の弾性変形に伴う力Ｆｐ１（弾性力）が生じてシール部材３の面圧が高まり、遮水板２の端部２ｂと方立１３との間には、シール部材３の弾性変形に伴う力Ｆｐ２（弾性力）が生じてシール部材３の面圧が高まる。これにより、端部２ａと床面１２との間、および端部２ｂと方立１３との間の面圧が増大し、これらの位置でのシール性が向上する。また、面圧の増大によって高まったシール部材３の下方の部分３ａと床面１２との摩擦力により、遮水板２（の端部２ａ）の開口部１１から離れる方向（Ｘ方向）への移動が抑制される。
【００２０】
このように、本実施形態では、例えば、遮水板２が床面１２と接するとともに開口部１１を屋外側から覆った状態で、方立１３（構造物、開口部１１の縁部）に固定されて遮水板２を少なくとも床面１２に向けて押し付ける押付部材４Ａを備える。よって、例えば、比較的簡素な構成によって、遮水板２を開口部１１を覆う位置に留めることができる。また、例えば、押付部材４Ａにより遮水板２を床面１２側または方立１３側に押し付けてシール部材３を弾性変形させ、遮水板２と床面１２との間、または遮水板２と方立１３との間のシール性を向上できる。また、例えば、遮水板２が比較的軽量である場合（例えば、遮水板２の全体の比重が水の比重より小さい場合等）に、押付部材４Ａの押力がシール性の向上に資する場合がある。
【００２１】
また、本実施形態では、例えば、押付部材４Ａは、方立１３（開口部１１の縁部）に固定される。よって、例えば、押付部材４Ａを、方立１３を利用した比較的簡素な構成として得ることができる。
【００２２】
また、本実施形態では、例えば、遮水板２に設けられて床面１２と接する弾性変形可能なシール部材３（の部分３ａ）を備える。よって、例えば、シール部材３の弾性力によってシール性を高めるとともに当該弾性力によって生じる摩擦力により遮水板２が開口部１１を覆う位置から外れ難くなる。
【００２３】
＜第２実施形態＞
図５，６に示される本実施形態の防水装置１Ｂでは、押付部材４Ｂの構成が、上記第１実施形態とは異なっている。押付部材４Ｂは、開口部１１の上方で側方に延びる部材１６（例えば、天井や梁等の構造物）の面１６ａと遮水板２の端部２ｃ（上端部、端面）との間に上下に突っ張っている。押付部材４Ｂは、長手方向に座屈することなく相互にスライド可能な少なくとも二つの（複数の）上下方向に延びた部材４１，４２を有する。押付部材４Ｂの長手方向の両端部には、滑り止め部材４ｅ，４ｆが設けられている。滑り止め部材４ｅ，４ｆは、例えば、エラストマや合成樹脂材料等で構成されたキャップである。部材４１，４２は、長手方向の中間部分で少なくとも部分的に重なり合うとともに、いずれも少なくともいずれか一方が部分的に筒状に構成されており、当該筒状部内に、ねじ機構や弾性機構（コイルスプリング等）を含む突張機構（図示されず）が設けられている。突張機構は、例えば、操作者が部材４１，４２を長手方向の軸回りに相対的に回転させることで突張力の大きさを調節できるよう構成されている。このような構成において、操作者が突張機構を調節して押付部材４Ｂに長手方向（上下方向）の突張力を生じさせることで、遮水板２は、押付部材４Ｂと床面１２との間に上下方向（Ｚ方向）に挟まれるとともに、押付部材４Ｂと方立１３との間に開口部１１の開口方向（Ｘ方向）に挟まれる。よって、本実施形態によっても、押付部材４Ｂによって、端部２ａと床面１２との間、および端部２ｂと方立１３との間の面圧が増大し、これらの位置でのシール性が向上する。また、面圧の増大によって高まったシール部材３の下方の部分３ａと床面１２との摩擦力により、遮水板２（の端部２ａ）の開口部１１から離れる方向（Ｘ方向）への移動が抑制される。本実施形態の押付部材４Ｂによっても、上記第１実施形態と同様の作用および結果（効果）が得られる。
【００２４】
＜第３実施形態＞
図７，８に示される本実施形態の防水装置１Ｃでは、押付部材４Ｃの構成が、上記第１、第２実施形態とは異なっている。押付部材４Ｃは、くさび部材として構成されている。方立１３の屋外側の面１３ａには、遮水板２の端部２ｃ（上端部、端面）上に開口するように、開口部１３ｃ（凹部）が設けられている。押付部材４Ｃは、基部４ｈと、先細り形状（くさび状）に構成された尖部４ｇとを有する。尖部４ｇには、適宜段差や凹凸形状が設けられうる。この段差や凹凸形状として、押付部材４Ｃの屋内側への移動に伴って遮水板２を屋内側へ押し付ける（引き摺る）ための突起（突条）や、凹部、溝等（引掛部）が設けられてもよい。操作者は、基部４ｈを押すことで押付部材４Ｃを端部２ｃ上で屋内側（Ｘ方向の反対方向）にスライドさせながら開口部１３ｃ内に押し込む。図８に示されるように尖部４ｇが開口部１３ｃ内に押し込まれると、尖部４ｇを介して遮水板２が床面１２に向けて下方に押される。このような構成において、遮水板２は、押付部材４Ｃと床面１２との間に上下方向（Ｚ方向）に挟まれるとともに、押付部材４Ｃと方立１３との間に開口部１１の開口方向（Ｘ方向）に挟まれる。よって、本実施形態によっても、押付部材４Ｃによって、端部２ａと床面１２との間、および端部２ｂと方立１３との間の面圧が増大し、これらの位置でのシール性が向上する。また、面圧の増大によって高まったシール部材３の下方の部分３ａと床面１２との摩擦力により、遮水板２（の端部２ａ）の開口部１１から離れる方向（Ｘ方向）への移動が抑制される。本実施形態の押付部材４Ｃによっても、上記第１、第２実施形態と同様の作用および結果（効果）が得られる。
【００２５】
＜第３実施形態の第１変形例＞
図９に示される本変形例の防水装置１Ｄも、上記第３実施形態と同様、くさび部材として構成された押付部材４Ｃを備えている。ただし、本変形例では、押付部材４Ｃが、遮水板２の端部２ｃ（上部）に、少なくとも固定位置Ｐ１（進入位置）と、非固定位置Ｐ２（待避位置）との間でスライド可能に支持されている（取り付けられている）。本変形例でも、第３実施形態と同様の作用および結果（効果）が得られる。また、変形例によれば、押付部材４Ｃが遮水板２に支持されている（取り付けられている）ため、非使用時に遮水板２とともに押付部材４Ｃをより容易に保管できる。
【００２６】
＜第３実施形態の第２変形例＞
図１０に示される本変形例の防水装置１Ｅも、上記第３実施形態および第１変形例と同様、くさび部材として構成された押付部材４Ｃを備えている。そして、本変形例でも、第１変形例と同様、押付部材４Ｃが遮水板２にスライド可能に支持されている（取り付けられている）。ただし、本変形例では、方立１３のそれぞれの屋外側に隣接して、レール１７が設けられ、遮水板２はこのレール１７に支持されている。レール１７は、遮水板２の支持部の一例である。また、レール１７は、構造物の一例であり、開口部１１の縁部の一例でもある。
【００２７】
具体的に、レール１７は、上下方向（Ｚ方向）に延びており、屋外側に位置された帯状かつ板状の壁部１７ａと、屋内側に位置された帯状かつ板状の壁部１７ｃと、壁部１７ａと壁部１７ｃとを開口部１１から離れた側で繋ぐ帯状かつ板状の壁部１７ｂ（側壁部）と、を有している。これら壁部１７ａ，１７ｂ，１７ｃにより、Ｕ字状の断面形状を有した溝１７ｄ（凹部）が形成されている。図１０の右側のレール１７では、溝１７ｄは左側に開口し、図１０の左側のレール１７では、溝１７ｄは右側に開口している。このように互いに対向して開口する二つの溝１７ｄに、遮水板２の端部２ｂのそれぞれが収容される。すなわち、遮水板２の端部２ｂのそれぞれは、対応する溝１７ｄに囲われている。遮水板２の二つの端部２ｂは、二つの溝１７ｄ内に上方から挿入され、溝１７ｄ内を移動（スライド）する。操作者により、遮水板２は、下方に向けて動かされ、端部２ａが床面１２と接触して遮水板２が開口部１１の下部を覆う位置へ移動する。
【００２８】
遮水板２の屋外側の面２ｄ（外面）には、左右方向（Ｙ方向）に延びたレール２ｅが設けられている。押付部材４Ｃは、このレール２ｅにスライド可能（移動可能、往復可能）に支持されている。レール２ｅは、遮水板２の上下方向の略中央部に設けられている。ここで、溝１７ｄのＸ方向の幅は、遮水板２の厚さよりも大きく設定されている。したがって、操作者は、押付部材４Ｃを、レール２ｅに沿ってスライドさせ、遮水板２の面２ｄとレール１７の壁部１７ａとの隙間（屋外側の隙間）に差し込むことができる。押付部材４Ｃが隙間に差し込まれることにより、遮水板２は、当該押付部材４Ｃによってレール１７の屋内側の壁部１７ｃに押し付けられる。本変形例でも、図４と同様、遮水板２の端部２ｂの屋内側、および遮水板２の端部２ａの下側には、それぞれシール部材３が設けられている。よって、押付部材４Ｃによって壁部１７ｃ側に押し付けられたシール部材３により、壁部１７ｃとの間がシールされる。また、押付部材４Ｃにより、遮水板２は、床面１２側に押し付けられた状態で、レール１７に固定されうる。よって、遮水板２の端部２ａに設けられたシール部材３（図４）により、床面１２との間がシールされる。なお、本変形例では、遮水板２は、比較的重量が大きいものであってもよい。この場合、遮水板２の重量により、床面１２と面するシール部材３の面圧が高まりやすい。以上の本変形例によれば、上記第１変形例と同様の作用および結果（効果）が得られる。また、本変形例では、レール１７が設けられた分、遮水板２がより一層外れ難い。
【００２９】
以上、本発明の実施形態が例示されたが、上記実施形態は一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。また、各構成や、形状、等のスペック（構造や、種類、方向、形状、大きさ、長さ、幅、厚さ、高さ、数、配置、位置、材質等）は、適宜に変更して実施することができる。また、複数の実施形態間で、構成を部分的に入れ替えて実施することができる。例えば、押付部材の構成や形状、押付部材を取り付ける位置等は、上記実施形態には限定されない。
【符号の説明】
【００３０】
１Ａ〜１Ｅ…防水装置、２…遮水板、３…シール部材、４Ａ〜４Ｃ…押付部材、１１…開口部、１２…床面（開口部の縁部）、１３…方立（開口部の縁部、構造物）、１６…部材（構造物）。
【図１】
0006403501.tif 000002
【図２】
0006403501.tif 000003
【図３】
0006403501.tif 000004
【図４】
0006403501.tif 000005
【図５】
0006403501.tif 000006
【図６】
0006403501.tif 000007
【図７】
0006403501.tif 000008
【図８】
0006403501.tif 000009
【図９】
0006403501.tif 000010
【図１０】
0006403501.tif 000011